(57)【要約】【課題】外観を損なうことなく、走行風導入ダクトの必要ダクト長さを確保できる自動二輪車を提供する。【解決手段】エンジン６の吸気ポート６ａ，６ｂに連通するエアクリーナ１６と、該エアクリーナ１６の一次側室Ａに走行風を導入する走行風導入ダクト１７とを備え、上記走行風導入ダクト１７は、上記吸気ポート６ａより車両前方にて開口する外気導入口１７ａから前，後吸気ポート６ａ，６ｂを超えて上記エアクリーナ１６の一次側室Ａまで延びている。【選択図】      図１
2006015963.tif 000002
【特許請求の範囲】
【請求項１】
エンジンの吸気ポートに連通するエアクリーナと、該エアクリーナの一次側室に走行風を導入する走行風導入ダクトとを備え、該走行風導入ダクトは、上記吸気ポートより車両前方にて開口する外気導入口から上記吸気ポートを車両後方に超えて上記エアクリーナの一次側室まで延びていることを特徴とする自動二輪車。
【請求項２】
請求項１において、上記エアクリーナは、エアクリーナケースと、該エアクリーナケース内を一次側室と二次側室とに画成するエレメントを備えており、上記走行風導入ダクトは、上記エレメントの下側に位置する上記一次側室に接続されていることを特徴とする自動二輪車。
【請求項３】
請求項２において、上記エレメントは、平板状に形成され、略水平をなすよう横置きに配置されていることを特徴とする自動二輪車。
【請求項４】
請求項２又は３において、上記一次側室は上記エレメントの下側に配置され、上記二次側室はその大部分が上記エレメントの前側に位置するように配置されていることを特徴とする自動二輪車。
【請求項５】
請求項１において、上記走行風導入ダクトは、車両前方から見たとき、上記外気導入口の大部分がフロントフォークの車幅方向外側に位置するように配設されていることを特徴とする自動二輪車。
【請求項６】
請求項５において、上記走行風導入ダクトは、車両上方から見たとき、車両後側ほど車幅方向内側に位置するように斜めに配置されていることを特徴とする自動二輪車。
【請求項７】
請求項５又は６において、上記走行風導入ダクトの少なくとも前部は、横断面矩形状をなすメインフレームの側壁面に沿うように配置されていることを特徴とする自動二輪車。
【請求項８】
請求項１において、上記走行風導入ダクトは、上記エアクリーナの二次側室と上記吸気ポートとを接続するジョイント部材の少なくとも一部を車幅方向外側から覆っていることを特徴とする自動二輪車。
【発明の詳細な説明】
【技術分野】
【０００１】
本発明は、エンジンの吸気ポートに連通するエアクリーナと、該エアクリーナの一次側室に走行風を導入する走行風導入ダクトとを備えた自動二輪車に関する。
【背景技術】
【０００２】
自動二輪車では、走行風の動圧を利用して吸気の充填効率を高める観点から、走行風導入ダクトの導出口をエアクリーナの一次側室に接続し、該走行風導入ダクトの外気導入口を車両前方に向けて開口させた吸気装置を備える場合がある。
【０００３】
このような吸気装置として、例えば、特許文献１に記載されたものがある。これは同文献の図３に示されているように、車両前方に開口する空気取り入れ装置７４に垂直上方に延びる通路１１８を接続し、該通路１１８の上流側にエアフィルタ９８を配置し、下流側を車両後方に向けて開口させた構造となっている。
【特許文献１】特開２００３−１０６１４８号公報
【発明の開示】
【発明が解決しようとする課題】
【０００４】
ところで上記走行風導入ダクトを配設するにあたっては、該導入ダクトの通路面積を徐々に絞り込んで空気の流速を高めるとともに、走行風導入ダクト内に進入した雨水等を外部に排水することが必要となる。しかし上記従来公報では、走行風導入ダクトを構成する通路を垂直方向に向けて配置する構造を採用しているため、ダクト長さに制約があり、上述の通路の絞り込みに必要なダクト長さを確保し難いという問題がある。
【０００５】
ここで、ダクトの必要長さを確保するには、走行風導入ダクトを車両前後方向に向けて配置することが考えられる。この場合、エンジンの外側方をカウリングで覆ったモデルの場合には、カウリング内に走行風導入ダクトを配置することで外観の問題は回避できる。しかしエンジンを外側方に露出させたモデルの場合には、ダクトの配置構造の如何によっては外観上の問題が生じるおそれがある。
【０００６】
本発明は、上記従来の状況に鑑みてなされたもので、外観を損なうことなく、走行風導入ダクトの必要長さを確保できる自動二輪車を提供することを目的としている。
【課題を解決するための手段】
【０００７】
請求項１の発明は、エンジンの吸気ポートに連通するエアクリーナと、該エアクリーナの一次側室に走行風を導入する走行風導入ダクトとを備え、該走行風導入ダクトは、上記吸気ポートより車両前方にて開口する外気導入口から上記吸気ポートを車両後方に超えて上記エアクリーナの一次側室まで延びていることを特徴とする自動二輪車である。
【０００８】
請求項２の発明は、請求項１において、上記エアクリーナは、エアクリーナケースと、該エアクリーナケース内を一次側室と二次側室とに画成するエレメントを備えており、上記走行風導入ダクトは上記エレメントの下側に位置する上記一次側室に接続されていることを特徴としている。
【０００９】
請求項３の発明は、請求項２において、上記エレメントは、平板状に形成され、略水平をなすよう横置きに配置されていることを特徴としている。
【００１０】
請求項４の発明は、請求項２又は３において、上記一次側室は上記エレメントの下側に配置され、上記二次側室はその大部分が上記エレメントの前側に位置するように配置されていることを特徴としている。
【００１１】
請求項５の発明は、請求項１において、上記走行風導入ダクトは、車両前方から見たとき、上記外気導入口の大部分がフロントフォークの外側に位置するように配設されていることを特徴としている。
【００１２】
請求項６の発明は、請求項５において、上記走行風導入ダクトは、車両上方から見たとき車両後側ほど車幅方向内側に位置するように斜めに配置されていることを特徴としている。
【００１３】
請求項７の発明は、請求項５又は６において、上記走行風導入ダクトの少なくとも前部は、横断面が矩形状をなすメインフレームの側壁面に沿うように配置されていることを特徴としている。
【００１４】
請求項８の発明は、請求項１において、上記走行風導入ダクトは、上記エアクリーナの二次側室と上記吸気ポートとを接続するジョイント部材の少なくとも一部を車幅方向外側から覆っていることを特徴としている。
【発明の効果】
【００１５】
請求項１の発明によれば、走行風導入ダクトが、吸気ポートより車両前方にて開口する外気導入口から上記吸気ポートを車両後方に超えてエアクリーナの一次側室まで延長されているので、上述の通路の絞り込みや雨水等の排水を行なうのに充分なダクト長さを確保することができる。
【００１６】
また上記走行風導入ダクトは吸気ポートの前方にて開口する外気導入口から該吸気ポートを後方に超えて車両前後方向に延びるように配置されているので、この走行風導入ダクトを、例えば空気の流れを視覚的に現すようにデザインすることが可能であり、従ってこの走行風導入ダクトをエンジン回りの外観を高めるためのデザイン部品として利用することが可能である。その結果、本発明の吸気装置は、エンジンを外側方に露出させたモデルに採用する場合でも外観の悪化を回避できる。
【００１７】
請求項２の発明では、エアクリーナケース内はエレメントにより一次側室と二次側室とに画成されており、走行風導入ダクトは上記エレメントの下側に位置する一次側室に接続されているので、走行風導入ダクト内に導入された空気はエレメントの下方から上方へと流れることとなる。例えば、上記従来公報のように、空気がエレメントの上方から下方に流れる構造とした場合には、異物が一次側室内に進入するとその自重によりエレメントに付着したままとなって目詰まりを起こすおそれがある。本発明では、一次側室に異物が流入した場合でも、該異物は、自重がエレメントから離れる方向に作用するためエレメントの下面に吸いつけられることはあまりなく、また吸いつけられてもアイドリング等の低吸気量時に自然落下し易いことから、エレメントが目詰まりを起こすのを防止できる。
【００１８】
請求項３の発明では、エレメントを平板状とし、略水平に向けて横置きに配置したので、エアクリーナの高さが低くて済み、例えばエンジン上側にエアクリーナの配置スペースを容易に確保できる。
【００１９】
請求項４の発明では、一次側室がエレメントの下側に配置され、二次側室の大部分がエレメントの前側に配置されている。例えば二次側室を一次側室の上側に配置するとそれだけエアクリーナ全体の高さ寸法が大きくなり、二次側室の容積及びデザインに制約が生じる。本発明では、二次側室を前側に配置したのでエアクリーナの高さ寸法を大きくすることなく二次側室の必要容積を確保でき、またエアクリーナのデザイン上の制約が生じることもない。
【００２０】
請求項５の発明では、走行風導入ダクトの外気導入口がフロントフォークの外側に位置するように配設されているので、走行風を導入する際にフロントフォークが抵抗となるのを防止でき、空気の吸入効率を高めることができる。
【００２１】
請求項６の発明では、走行風導入ダクトが車両後側ほど車幅方向内側に位置するように斜めに配置されているので、走行風導入ダクトからエアクリーナへの接続部分が緩い角度でもって連通され、それだけ通路抵抗が小さくなり、空気がスムーズに流れる。
【００２２】
請求項７の発明では、走行風導入ダクトの少なくとも前部がメインフレームの側壁面に沿うように配置されているので、該側壁面により走行風が走行風導入ダクトに導かれ易くなり、メインフレームの側壁面を有効利用して吸入効率を高めることが可能となる。
【００２３】
請求項８の発明では、走行風導入ダクトで、エアクリーナと吸気ポートとを接続するジョイント部材の少なくとも一部を覆ったので、ジョイント部材が外方に露出することによる見栄えの悪化を抑制できる。
【発明を実施するための最良の形態】
【００２４】
以下、本発明の実施の形態を添付図面に基づいて説明する。
【００２５】
図１ないし図５は、本発明の一実施形態によるエンジンの吸気装置を説明するための図であり、図１は吸気装置が配設された前部車体フレームの側面図、図２は吸気装置のエアクリーナの一部断面側面図、図３は吸気装置の平面図、図４は吸気装置の走行風導入ダクトの断面側面図、図５はエアクリーナのジョイント部材の断面側面図である。なお、本実施形態でいう前後，左右とは、シートに着座した状態で見た前後，左右を意味する。
【００２６】
図において、１は自動二輪車の前部車体フレームを示している。この前部車体フレーム１は車体前端に位置するヘッドパイプ２と、該ヘッドパイプ２から車幅方向に拡開しつつ斜め下方に延びる左，右一対のメインフレーム３と、該メインフレーム３の下面前端部からメインフレーム３との間隔が後側ほど大きくなるように斜め下方に延びる左，右一対のアンダフレーム４とを備えている。
【００２７】
上記左，右のメインフレーム３は角筒状のものであり、横断面で見ると高さ寸法が幅寸法より大きい縦長の矩形状をなしている。
【００２８】
上記ヘッドパイプ２によりフロントフォーク５が左右操向可能に枢支されている。このフロントフォーク５は左，右のフォーク本体５ａ，５ａをアッパ，ロアブラケットで結合してなり、該アッパ，ロアブラケット間に配設されたステアリング軸が上記ヘッドパイプ２により軸支されている。上記左，右のフォーク本体５ａ，５ａ間の下端に不図示の前輪が，上端に操向ハンドルがそれぞれ配設されている。
【００２９】
上記左，右のメインフレーム３及びアンダフレーム４と不図示の後部車体フレームとの間にエンジン６が懸架支持されている。このエンジン６は、これのシリンダブロック，シリンダヘッド，ヘッドカバー等が上記メインフレーム３，アンダフレーム４及び後部車体フレームの間から外方に露出するよう搭載されている。
【００３０】
上記エンジン６は、前，後気筒をその軸線７ａ，７ｂがＶバンクをなすように配設してなるＶ型４気筒エンジンである。上記Ｖバンク内には、前側気筒に連通する左，右の前吸気ポート６ａ，６ａと、後側気筒に連通する左，右の後吸気ポート６ｂ，６ｂとが上向きに開口している。
【００３１】
上記前，後の各吸気ポート６ａ，６ｂの上流端開口には軸線を略垂直に向けて配置された前，後のスロットルボディ８，８が接続されており、該各スロットルボディ８は通路面積を変化させるスロットルバルブ８ａを備えている。
【００３２】
また上記前，後の各スロットルボディ８には各気筒毎の燃料噴射弁１０が配設されている。該各燃料噴射弁１０は噴射口１０ａが各吸気ポート６ａ，６ｂの下流端の燃焼室開口を開閉する吸気弁の裏面に指向するように配置されている。
【００３３】
上記エンジン６は吸気装置１５を備えている。この吸気装置１５は、上記各吸気ポート６ａ，６ｂに連通するエアクリーナ１６と、該エアクリーナ１６に走行風を導入する左，右一対の走行風導入ダクト１７，１７とを備えている。
【００３４】
上記エアクリーナ１６は、エンジン６のＶバンク上方に、上記前，後のスロットルボディ８，８の上流端開口を覆うように配置されている。該エアクリーナ１６は、燃料タンクの如き外観を有しており、車両側方から見ると、図２に示すように、天壁１６ｃは前壁１６ａ側から後壁１６ｂ側にいくほど斜め下方に緩やかに傾斜している。また車両上方から見ると図３に示すように、左，右側壁１６ｄ，１６ｅは後側ほど車幅寸法が小さくなるよう斜めになっており、全体として概ね台形状をなし  ている。
【００３５】
上記左，右の走行風導入ダクト１７は、エアクリーナ１６の上記左，右側壁１６ｄ，１６ｅに沿って車両前後方向に延びている。これらの左，右の走行風導入ダクト１７は左，右対称でかつ同一の構造であるので、主として左側の走行風導入ダクト１７について説明する。
【００３６】
上記走行風導入ダクト１７の外気導入口１７ａは、上述の前吸気ポート６ａより車両前方に位置しており、車両前方に、かつやや下外向きに開口している。この走行風導入ダクト１７は、上記外気導入口１７ａから前，後吸気ポート６ａ，６ｂを車両後方に超えて位置するエアクリーナ１６の一次側室Ａまで延びている。そして該走行風導入ダクト１７の後端部に形成された外気導出口１７ｂが上記エアクリーナ１６の一次側室Ａに連通接続されている。
【００３７】
上記走行風導入ダクト１７の前部は、上記縦長矩形状をなすメインフレーム３の外側壁面３ａに沿うように配設されている。即ち上記外気導入口１７ａは上記外側壁面３ａが走行風導入ダクト１７の前部内側壁面３１ａに連続するように位置している。これにより上記外側壁面３ａは外気導入口１７ａに走行風を導くガイドとして機能している。
【００３８】
また上記走行風導入ダクト１７は、上記外気導入口１７ａがフロントフォーク５のフォーク本体５ａの外側に位置するように配置されており、これにより外気導入口１７ａは車両前方から見たときフォーク本体５ａが邪魔することのないように開口している。また上記走行風導入ダクト１７は、車両側方から見ると、上記エアクリーナ１６の前，後ジョイント部材９，９を車幅方向外側から覆うように配置されている。
【００３９】
上記走行風導入ダクト１７は、車両上方から見ると、車両後側ほど車幅方向内側に位置するよう斜めに配置されている。また車両側方から見ると、走行風導入ダクト１７の上辺部は外気導入口１７ａから後方に略直線状に延びた後、外気導出口１７ｂに向かって斜め下方に大きく湾曲した形状となっており、下辺部は外気導入口１７ａから外気導出口１７ｂまでの全長に渡って上方に凸をなすよう緩やかに湾曲した形状となっている。
【００４０】
上記エアクリーナ１６は、エアクリーナケース１８と、該エアクリーナケース１８内を一次側室Ａと二次側室Ｂとに画成するエレメント１９とを備えている。
【００４１】
上記エアクリーナケース１８は、上側ケース２０と下側ケース２１とに分割されている。この上側ケース２０の分割面の外周部には周方向に延びる凹溝２０ａが形成されており、下側ケース２１の分割面の外周部には上記凹溝２０ａ内にシールリング２２を介在させて係合する凸条部２１ａが形成されている。
【００４２】
上記上側ケース２０と下側ケース２１とは、上側ケース２０の外周縁部に所定間隔をあけて挿入された複数のボルト２３を下側ケース２１の合面部分にインサート成形されたナット２４に締め込むことにより着脱可能にかつ気密に結合されている。上記上側ケース２０の各ボルト２３に臨む部分には上方に開放された逃げ凹部２０ｂが形成されている。
【００４３】
上記下側ケース２１は、前側底部２１ｂと、該前側底部２１ｂより下方に膨出する後側底部２１ｃとを有しており、該前側底部２１ｂと後側底部２１ｃとは隔壁２１ｅにより画成されている。
【００４４】
上記後側底部２１ｃの左，右側部には走行風流入口２１ｄが形成されており、該走行風流入口２１ｄに上記走行風導入ダクト１７の外気導出口１７ｂが円筒状の連通部材２５を介して気密に連通接続されている。
【００４５】
上記エレメント１９は、下側ケース２１の後側底部２１ｃの分割面を覆うように形成された角筒状のケース部１９ａ内に湿式濾紙２６を配置固定し、該ケース部１９ａの外周に沿ってフランジ部１９ｂを一体形成した構造を有している。
【００４６】
上記フランジ部１９ｂは上側ケース２０と下側ケース２１との分割面間に配置されており、前側のフランジ部１９ｂの車幅方向中央部及び後側のフランジ部１９ｂの左，右端部が３本のボルト２７により上側ケース２０と共に下側ケース２１に着脱可能に共締め固定されている。
【００４７】
上記エレメント１９は、濾紙２６が略水平となるように下側ケース２１の後側底部２１ｃの上面開口に横置きに配置されており、該エレメント１９により後側底部２１ｃの上面開口が閉塞されている。
【００４８】
上記エレメント１９と、これの下側に位置する後側底部２１ｃとにより囲まれた空間が上記一次側室Ａとなっている。またエレメント１９と、これの上側に位置する上側ケース２０及び前側底部２１ｂとにより囲まれた空間が二次側室Ｂとなっている。そして二次側室Ｂの大部分は、一次側室Ａに対してエレメント１９より車両前側に大きく偏位させて配置されている。
【００４９】
上記二次側室Ｂの容積は一次側室Ａの容積に対して約４〜５倍程度となっており、具体的には例えば、１０００ｃｃを超える大排気量エンジンの場合、一次側室Ａが約２．３リットル，二次側室Ｂが約１０リットル程度に設定されている。
【００５０】
上記走行風導入ダクト１７は、車幅方向内側に位置する樹脂製のベース側部材３０と、該ベース側部材３０に車幅方向外側から被せるように固着されたアルミ合金製のカバー側部材３１とから構成されている。このカバー側部材３１の表面には外観の向上を図るための例えば光沢処理が施されている。
【００５１】
上記ベース側部材３０は外気導出口１７ｂが形成された横断面概ねコ字状のものである。上記カバー側部材３１は、外気導入口１７ａが形成された前筒部３１ａと、上記ベース側部材３０を外側から囲むように形成された横断面概ね半楕円状の本体部３１ｂとからなり、上記ベース側部材３０を外側から見えないように覆っている。
【００５２】
上記走行風導入ダクト１７は、吸入した空気の流速を高める絞り部３４、吸気により生じる所定周波数の吸気音を吸収するレゾネータ３５、及びダクト内に進入した雨水を外部に排出する排水部３６を備えており、これらは以下の構造となっている。
【００５３】
上記走行風導入ダクト１７は、主として図４に示すように、外気導入口１７ａを有する前半部３２と、該前半部３２より通路面積の小さい後半部３３とを備えている。この前半部３２と後半部３３の境界部には通路面積を絞り込むための上記絞り部３４が形成されている。
【００５４】
上記絞り部３４は、ベース側部材３０の天壁３０ａ側に絞り壁３０ｂを該天壁３０ａから底壁３０ｃ側に向かって膨出させることにより形成されている。即ち、上記絞り壁３０ｂの下端と底壁３０ｃとの間が絞り部３４となっている。この絞り壁３０ｂにより前半部３２の通路面積は、外気導入口１７ａから絞り部３４にいくほど徐々に小さくなっている。
【００５５】
上記レゾネータ３５は、上記天壁３０ａと絞り壁３０ｂとで形成された所定容積を有する共鳴空間３５ａを、絞り壁３０ｂの後半部３４側に形成された連通口３５ｂによりダクト内に連通させた構成となっている。
【００５６】
上記ベース側部材３０の後半部３４側には、仕切り壁３０ｄが一体形成されている。この仕切り壁３０ｄは、絞り壁３０ｂの後側部３０ｂ′と略平行に延びた後、下方に屈曲しつつ上記天壁３０ａと略平行に延びている。この仕切り壁３０ｄにより後半部３４の外気導出口１７ｂまでの通路面積は上記絞り部３４の通路面積と略同じとなっている。
【００５７】
また上記仕切り壁３０ｄと底壁３０ｃとで上記排水部３６を構成する分岐通路３６ａが形成されている。この分岐通路３６ａの上流口３６ｂは上記前半部３２の絞り部３４に向けて開口しており，下流口３６ｃは上記エンジン６の後側気筒７ｂのシリンダヘッドに向けて開口している。
【００５８】
上記絞り部３４，共鳴空間３５ａ，分岐通路３６ａはベース側部材３０をカバー側部材３１で覆うことにより構成されている。
【００５９】
上記エアクリーナ１６の二次側室Ｂの底部を形成する下側ケース２１の前側底部２１ｂには、前，後の吸気ポート６ａ，６ｂに対応する円筒状のボス部２１ｆが上下方向に延びるように一体形成されている。上記エアクリーナ１６の二次側室Ｂは各ボス部２１ｆ内に嵌合装着された上記各ジョイント部材９を介してスロットルボディ（エンジン側部材）８に連通接続されている。
【００６０】
上記各ジョイント部材９は、弾性変形可能なゴム製のものであり、上端開口部９ｂ及び下端開口部９ｃを有する円筒状の本体部９ａの外周部に該本体部９ａより小径の嵌合凹部９ｄを形成した構造となっている。
【００６１】
上記ジョイント部材９は、これを弾性変形させた状態で上記ボス部２１ｆ内に挿入し、嵌合凹部９ｄをボス部２１ｆに嵌合させることによって上下方向移動不能に位置決めされ、かつボス部２１ｆの内周面に気密に当接する。
【００６２】
上記上端開口部９ｂ内には垂直上方に開口する吸気管４０が嵌挿されており、該吸気管４０は上端開口部９ｂに装着されたスプリングバンド４１により締結固定されている。また上記下端開口部９ｃ内には上記スロットルボディ８が嵌挿されており、該スロットルボディ８は上記下端開口部９ｃに装着された固定バンド３９により締結固定されている。
【００６３】
上記下側ケース２１の前側底部２１ｂには、図３に示すように、車載部品との干渉を回避すべく設定された各種の干渉回避部４２ａ〜４２ｅが上方に膨出形成されている。この各干渉回避部４２ａ〜４２ｅは、上記各ボス部２１ｆの周辺部に形成されており、車幅方向中央にて前後方向に延びるハーネス配索部４２ａ，該ハーネス配索部４２ａに交差するように形成された水パイプ逃げ部４２ｂ，両者４２ａ，４２ｂの交差部に形成されたアイドルエア調整用ステップモータ逃げ部４２ｃ，前後のボス部２１ｆの間に位置するように形成されたプレッシャレギュレータ逃げ部４２ｄ，及び後右側吸気ポート６ｂとハーネス配索部４２ａとの間に形成されたスロットルモータ逃げ部４２ｅ等により構成されている。
【００６４】
また上記下側ケース２１の前側底部２１ｂには、各干渉回避部４２ａ〜４２ｅに対して相対的に下方に膨出する複数の膨出部４３が形成されている。この各膨出部４３は各干渉回避部４２ａ〜４２ｅを除く部分に形成され、各ボス部２１ｆに接するように形成されている。
【００６５】
上記ボス部２１ｆ及びジョイント部材９には、主として図５に示すように、径方向に貫通する一対のドレン抜き孔９ｇ，２１ｇ及び９ｈ，２１ｈが該ボス部２１ｆの中心軸を挟んで対向するよう形成されている。このドレン抜き孔９ｇ，２１ｇ及び９ｈ，２１ｈを介してエアクリーナ１６の二次側室Ｂとエンジン６の吸気ポート６ａ，６ｂとが連通されている。
【００６６】
上記一方側のドレン抜き孔９ｇ，２１ｇはボス部２１ｆの車幅方向外側に位置し、他方側のドレン抜き孔９ｈ，２１ｈは車幅方向内側に位置している。この内側のドレン抜き孔９ｈ，２１ｈは外側のドレン抜き孔９ｇ，２１ｇに対して低所に位置するように段差を設けて配置されている。各ドレン抜き孔９ｇ，２１ｇ及び９ｈ，２１ｈは相対的に下方に膨出するよう形成された上記各膨出部４３に対応するように配置されている。
【００６７】
上記各ボス部２１ｆには、上記各ドレン孔２１ｇ，２１ｈに続いて上端まで延びるスリット２１ｉ，２１ｊが形成されている。また各ジョイント部材９の嵌合凹部９ｄの上端面には上記スリット２１ｉ，２１ｊに係合する位置決め突部９ｉ，９ｊが形成されている。これによりジョイント部材９は周方向の所定角度位置に移動不能に位置決めされている。
【００６８】
そしてジョイント部材９の位置決め突部９ｉ，９ｊをボス部２１ｆのスリット２１ｉ，２１ｊに係合させたとき、該ボス部２１ｆの各ドレン抜き孔９ｇ，９ｈとジョイント部材９の各ドレン抜き孔２１ｇ，２１ｈとがそれぞれ一致するようになっている。
【００６９】
上記各ジョイント部材９の下端開口部９ｃには、固定バンド３９を周方向の所定角度位置に位置決めするバンド位置決め部９ｋが突出形成されている。そして上記ジョイント部材９の位置決め突部９ｉ，９ｊをボス部２１ｆのスリット２１ｉ，２１ｊに係合させたとき、上記固定バンド３９の締結ボルト３９ａが所要の締め付け方向を向くように構成されている。即ち、上記バンド位置決め部９ｋは、エアクリーナ１６をエンジン６に組み付ける際に、固定バンド３９が締め付け治具を挿入可能な方向に向くように設定されている。
【００７０】
次に本実施形態の作用効果について説明する。
【００７１】
本実施形態の吸気装置によれば、左，右の走行風導入ダクト１７が、前吸気ポート６ａより車両前方にて開口する外気導入口１７ａから前，後吸気ポート６ａ，６ｂを車両後方に超えて位置するエアクリーナ１６の一次側室Ａまで延長されているので、吸気の流速を高めるための絞り部３４，雨水等を排水するための排水部３６，あるいは吸気音を低減するためのレゾネータ３５を配設するのに必要なダクト長さを確保することができる。
【００７２】
また上記走行風導入ダクト１７をエンジン回りの外観を高めるためのデザイン部品として利用することができ、エンジン６を外側方に露出させたいわゆるネイキッドモデルに採用する場合の外観の悪化を回避できる。即ち、走行風導入ダクト１７を、前，後吸気ポート６ａ，６ｂの前方にて開口する外気導入口１７ａから該吸気ポートを後方に超えて前後方向に延びる形状としたので、走行風の流れを視覚的に現す如きデザインとなっており、外気導入ダクト１７が外方に露出することによる外観の悪化を回避できる。
【００７３】
本実施形態では、エアクリーナケース１８内を一次側室Ａと二次側室Ｂとに画成するエレメント１９が略水平となるように横置きに配置され、上記エレメント１９の下側に位置する一次側室Ａに走行風導入ダクト１７の外気導出口１７ｂが接続されているので、走行風導入ダクト１７内に導入された空気はエレメン１９トの下方から上方へと流れることとなる。これにより一次側室Ａに流入した紙等の異物がエレメント１９の下面に吸いつけられ難くなっており、また吸いつけられても、自然に落下し易いことから、エレメント１９が目詰まりを起こすのを防止できる。例えば、上記従来公報のように、空気がエレメントの上方から下方に流れる構造とした場合には、異物がエレメントに付着したままとなって目詰まりを起こすおそれがある。また空気がエレメントに対して横向きに流れる場合にも上記同様に目詰まりを起こし易い。
【００７４】
本実施形態では、上記一次側室Ａはエレメント１９の下側に配置され、二次側室Ｂはエレメント１９の前側に大きく偏位するように配置されているので、二次側室Ｂの必要容積を確保しつつエアクリーナ１６の高さ寸法を小さくすることができ、エアクリーナ１６のデザイン上の制約を抑制できる。即ち、二次側室Ｂを一次側室Ａの上側に配置する構造とした場合には、それだけエアクリーナ全体の高さ寸法が大きくなる。よって二次側室の容積及びデザインに制約が生じるという問題がある。
【００７５】
本実施形態では、上記左，右の走行風導入ダクト１７の外気導入口１７ａが左，右のフォーク本体５ａの車幅方向外側に位置するように配設されているので、走行風を導入する際にフロントフォーク５が抵抗となるのを防止でき、空気の吸入効率を高めることができる。
【００７６】
本実施形態では、上記走行風導入ダクト１７が車両後側ほど車幅方向内側に位置するように斜めに配置されているので、走行風導入ダクト１７からエアクリーナ１６の一次側室Ａへの接続部分が緩い角度でもって連通されることとなり、吸気流の通路抵抗が小さくなり、空気がスムーズに流れる。
【００７７】
本実施形態では、上記走行風導入ダクト１７の前部がメインフレーム３の外側壁面３ａに沿うように配置されているので、該外側壁面３ａが走行風を走行風導入ダクト１７に導くガイドとして機能することとなる。もって、メインフレーム３の外側壁面３ａを有効利用して吸気効率を高めることができる。
【００７８】
本実施形態では、左，右の走行風導入ダクト１７で、エアクリーナ１６と各吸気ポート６ａ，６ｂとを連通接続するジョイント部材９を側方から覆ったので、ジョイント部材９を隠すことができ、見栄えの悪化を防止できる。
【００７９】
本実施形態の吸気装置によれば、走行風導入ダクト１７に該ダクト内に連通する連通口３５ｂを有するレゾネータ３５が内蔵されているので、従来のようにレゾネータを外付けする場合に比べて外観の悪化及び配置スペースの拡大を防止できる。
【００８０】
本実施形態では、上記走行風導入ダクト１７の前半部３２と後半部３３との境界部に絞り部３４が形成され、該絞り部３４の絞り壁３０ｂを有効利用してレゾネータ３５の共鳴空間３５ａが形成されているので、絞り部３４により形成された走行風導入ダクト１７内のデッドスペースを有効利用してレゾネータ３５を設けることができ、走行風導入ダクト１７の外観機能を満足しつつ吸気音を低減することができる。
【００８１】
本実施形態では、上記絞り部３４が走行風導入ダクト１７のベース側部材３０の天壁３０ａ側に形成され、分岐通路３６ａが後半部３３の底壁３０ｃ側にシリンダヘッドに向けて形成されているので、絞り部３４により絞られた通路の下側を通過する走行風の一部とともに雨水が分岐通路３６ａから排出されることとなり、雨水を確実に排出することができる。また分岐通路３６ａから排出された走行風の一部でシリンダヘッドが冷却されることとなり、冷却性を高めることができる。また上記排出された走行風により、エンジンからの熱によりライダの周囲温度が上昇するのを抑制できる。
【００８２】
また上記走行風導入ダクト１７内に進入した雨水等は通路の上側に位置する絞り部３４の絞り壁３０ｂに当たって底壁３０ｃに落下し、該底壁３０ｃから分岐通路３６ａを介して外部に排出されることから、雨水を効率よくかつ確実に排出することができる。
【００８３】
本実施形態では、上記走行風導入ダクト１７が、内側に位置するベース側部材３０と、外側に位置するカバー側部材３１とで構成されているので、別々に形成したものを組み合わせるだけの簡単な方法で製造できるとともに、形状に対する自由度を高めることができる。
【００８４】
本実施形態では、ベース側部材３０が樹脂により形成され、カバー側部材３１がアルミ合金により形成されているので、ベース側部材３０に絞り壁３０ｂ，仕切り壁３０ｄを一体形成し、これにカバー側部材３１を被せるだけで絞り部３４，レゾネータ３５及び分岐通路３６ａを容易に形成することができる。
【００８５】
また上記カバー側部材３１には表面処理が施されているので、走行風導入ダクト１７全体の外観を高めることができ、上記同様にエンジン６が外側方に露出しているモデルに採用する場合の外観を向上できる。
【００８６】
本実施形態の吸気装置によれば、エアクリーナ１６の二次側室Ｂの前側底部２１ｂには上下方向に延びる円筒状のボス部２１ｆが形成され、該ボス部２１ｆ内にはジョイント部材９が嵌合装着され、該ジョイント部材９及びボス部２１ｆには径方向に貫通する一対のドレン抜き孔９ｇ，２１ｇ及び９ｈ，２１ｈが形成されているので、各ドレン抜き孔９ｇ，２１ｇ及び９ｈ，２１ｈを介して前側底部２１ｂに溜まったドレンが吸気ポート６ａ，６ｂに直接吸引されることとなり、従来の連通管で連通する場合に比べて構造が簡単であり、かつドレン処理が効率よく行える。
【００８７】
本実施形態では、上記エアクリーナ１６の前側底部２１ｂには車載部品との干渉を回避する干渉回避部４２ａ〜４２ｅが形成されているので、各種の車載部品との干渉を回避しつつ前側底部２１ｂの位置を下げることができ、エアクリーナ１６の高さ寸法を高くすることなく、クリーン側 (二次側）容積を増やすことができる。
【００８８】
また上記前側底部２１ｂには干渉回避部４２ａ〜４２ｅより相対的に下方に膨出する膨出部４３が形成され、該膨出部４３に対応する位置にドレン抜き孔９ｇ，２１ｇ及び９ｈ，２１ｈが配置されているので、前側底部２１ｂに溜まったドレンが膨出部４３に集まり易く、ドレン処理がより一層効率よく行える。
【００８９】
本実施形態では、上記ボス部２１ｆにはドレン抜き孔２１ｇ，２１ｈに続いて上端まで延びるスリット２１ｉ，２１ｊが形成され、ジョイント部材９にはスリット２１ｉ，２１ｊに係合する位置決め突部９ｉ，９ｊが形成されており、該位置決め突部９ｉ，９ｊをスリット２１ｉ，２１ｊに係合させたとき、ボス部２１ｆとジョイント部材９とのドレン抜き孔９ｇ，２１ｇ及び９ｈ，２１ｈ同士が一致するので、ジョイント部材９をボス部２１ｆに嵌挿させるだけで、両者のドレン抜き孔９ｇ，２１ｇ及び９ｈ，２１ｈの位置合わせを行うことができ、組み付け作業が容易に行える。
【００９０】
本実施形態では、上記ジョイント部材９の位置決め突部９ｉ，９ｊをスリット２１ｉ，２１ｊに係合させたとき、固定バンド３９の締結ボルト３９ａが所要の締め付け方向を向くので、ジョイント部材９をボス部２１ｆに嵌挿させるだけで、固定バンド３９の締め付け作業が容易に行える。
【図面の簡単な説明】
【００９１】
【図１】本発明の一実施形態による吸気装置が配設された前部車体フレームの側面図である。
【図２】上記吸気装置のエアクリーナの一部断面側面図である。
【図３】上記吸気装置の平面図である。
【図４】上記吸気装置の走行風導入ダクトの断面側面図である。
【図５】上記エアクリーナのジョイント部材の断面側面図である。
【符号の説明】
【００９２】
３          メインフレーム
３ａ        外側壁面
５          フロントフォーク
６          エンジン
６ａ，６ｂ  吸気ポート
９          ジョイント部材
１５        吸気装置
１６        エアクリーナ
１７        走行風導入ダクト
１７ａ      外気導入口
１７ｂ      外気導出口
１８        エアクリーナケース
１９        エレメント
２６        濾紙
Ａ          一次側室
Ｂ          二次側室
【図１】
2006015963.tif 000003
【図２】
2006015963.tif 000004
【図３】
2006015963.tif 000005
【図４】
2006015963.tif 000006
【図５】
2006015963.tif 000007